(57)【要約】      （修正有）【課題】一対の当接ピンで挾持した冠等を、簡単な操作で、回転させて冠等の別の部位を研摩し易い位置に移動させることができるプライヤーを提供する。【解決手段】開閉自在の一対の柄２，２ａと、上記一対の柄の開閉により開閉する一対の挾持アーム３，３ａとを有し、上記一対の挾持アーム３，３ａのうち一方の挾持アーム３の先端部に、摩擦力の弱い当接面５を先端に有する当接ピン４を固定し、上記一対の挾持アームのうち他方の挾持アームの先端部に、摩擦力の強い当接面５ａを先端に有する当接ピン４ａを、該摩擦力の強い当接面を上記摩擦力の弱い当接面に対向させた状態で、回転自在に支持させると共に、該当接ピンの後端に回転操作ツマミ８を固定して、歯科用冠等の作業用プライヤーを構成する。【選択図】図１
0003154387.tif 000002
【実用新案登録請求の範囲】
【請求項１】
開閉自在の一対の柄と、上記一対の柄の開閉により開閉する一対の挾持アームとを有し、
上記一対の挾持アームのうち一方の挾持アームの先端部に、摩擦力の弱い当接面を先端に有する当接ピンを固定し、
上記一対の挾持アームのうち他方の挾持アームの先端部に、摩擦力の強い当接面を先端に有する当接ピンを、該摩擦力の強い当接面を上記摩擦力の弱い当接面に対向させた状態で、回転自在に支持させると共に、該当接ピンの後端に回転操作ツマミを固定した、
歯科用冠等の作業用プライヤー。
【考案の詳細な説明】
【技術分野】
【０００１】
本考案は、歯に被嵌する金属製冠等に研摩等の作業を施す際に該冠等を把持して作業を容易にするためのプライヤーに関する。
【背景技術】
【０００２】
従来、冠の研摩用プライヤーとして、２本のアーム部材を中間部でピン係合して、ピンを境に、一側に開閉自在の一対の柄を、他側に上記一対の柄の開閉により開閉する一対の挾持アームをそれぞれ形成すると共に、上記一対の挾持アームの先端に、摩擦力の強い当接面を先端に有する一方の当接ピンと、摩擦力の弱い当接面を先端に有する他方の当接ピンとを、互に当接面を対向させてそれぞれ固定した構造のものが知られており、使用においては、作業員が左手で一対の柄を把持し、上記一方の当接ピンの摩擦力の強い当接面を冠の内側凹部に、他方の当接ピンの摩擦力の弱い当接面を冠の外側面とそれぞれ当接した状態で、上記一対の柄を閉じて冠を両当接ピンの当接面間に挾持し、その状態で、作業者が右手に持ったバフ研摩具にて冠外側面の必要部位を研摩するものであった。
【０００３】
しかし、上記の従来プライヤーでは、冠外側の別の部位を研摩するときは、まず上記一対の柄の把持をゆるめて、上記一対の当接ピンによる冠挾持をゆるめ、その状態で、右手指で冠をつまんで別の部位を研摩し易い位置に移動させて、次の研摩を行うという手間のかかる操作が必要であった。
【考案の概要】
【考案が解決しようとする課題】
【０００４】
本考案は、一対の当接ピンで冠等を挾持しつつ、簡単な操作で別の部位を研摩し易い位置に移すことのできる歯科用冠等の作業用プライヤーを提供することを課題とする。
【課題を解決するための手段】
【０００５】
上記課題解決の手段として、本考案は、
開閉自在の一対の柄と、上記一対の柄の開閉により開閉する一対の挾持アームとを有し、
上記一対の挾持アームのうち一方の挾持アームの先端部に、摩擦力の弱い当接面を先端に有する当接ピンを固定し、
上記一対の挾持アームのうち他方の挾持アームの先端部に、摩擦力の強い当接面を先端に有する当接ピンを、該摩擦力の強い当接面を上記摩擦力の弱い当接面に対向させた状態で、回転自在に支持させると共に、該当接ピンの後端に回転操作ツマミを固定した、
歯科用冠等の作業用プライヤーを提案する。
【考案の効果】
【０００６】
本案の歯科用冠等の作業用プライヤーは、摩擦力の強い当接面つき当接ピンは、摩擦力の弱い当接面つき当接ピンよりも強い摩擦力で冠等に当接しているから、作業者が一対の柄を把持して一対の当接ピンで冠等を挾持している状態、又は柄の把持を若干ゆるめた状態で、回転操作ツマミを指で回して摩擦力の強い当接面つき当接ピンを回せば、その摩擦力により冠等を回すことができ、それにより冠等の新たな部位を研摩し易い位置に移すことができるのである。なお、左手で柄を把持し、右手で研摩具を持ち、そして左手の親指で回転操作ツマミを回すことは、熟練者でなくても容易な操作であるから、操作は簡単で容易に行えるものである。
【図面の簡単な説明】
【０００７】
【図１】（イ）本考案による冠の研摩用プライヤーの正面図である。                      （ロ）同上一対の当接リンク部分の拡大縦断面図である。                        （ハ）（ロ）図のＡ−Ａ線断面図である。
【図２】（イ）他の実施例の一部切欠正面図である。                                    （ロ）、（ハ）摩擦力の強い当接面つき当接ピンの他の例の拡大縦断面図である。
【実施例１】
【０００８】
以下図面を参照して本考案の実施例について説明する。
図１（イ）、（ロ）、（ハ）において、２本のアーム部材を中間部においてピン（１）によりピン係合して、ピン（１）の一側に、開閉自在の一対の柄（２）、（２ａ）を、他側に、上記柄（２）、（２ａ）の開閉により開閉される一対の挾持アーム（３）、（３ａ）を形成してある。
【０００９】
上記一対の挾持アーム（３）、（３ａ）のうち一方の挾持アーム（３）の先端部に、摩擦力の弱い当接面として、本例では、小径のボール（５）を先端に固着した当接ピン（４）の基端部を固定してあり、他方の挾持アーム（３ａ）の先端部には、軸受孔を有する円筒状の軸受筒（６）を固定し、該軸受筒（６）に、摩擦力の強い当接面として、本例では凹陥部（５ａ）を先端に有すると共に、後端から軸（７）を突出してなる若干大径の当接ピン（４ａ）を、その軸（７）において回転自在に支承させ、この軸（７）の軸受筒（６）後端からの突出端部に回転操作ツマミ（８）を固定してある。
【００１０】
上記当接ピン（４ａ）の凹陥部（５ａ）の円筒壁には、同図（ロ）、（ハ）に示すように開口端から切りこんだ３個の切欠を設け、それにより凹陥部（５ａ）先端の摩擦力を強化している。
【００１１】
上記回転操作ツマミ（８）は、本例では、同図（ハ）に示すようにボス（９）から６本のハンドル（１０）…を放射状に突出したもので、そのボス（９）から軸（７）に差しこんだピン（１１）により該軸（７）に固定してある。
【００１２】
上例の使用例について説明する。作業者は左手に柄（２）、（２ａ）を持ち、まず研摩すべき冠（Ｃ）の凹部を、同図（ロ）のように当接ピン（４ａ）に被嵌し、ついで柄（２）、（２ａ）をしぼれば、他方の当接ピン（４）のボール（５）で冠（Ｃ）の外側面を押し、これら当接ピン（４ａ）の凹陥部（５ａ）と当接ピン（４）のボール（５）との間で冠（Ｃ）を挾持する。
【００１３】
その状態で、作業者は右手に持った研摩バフにより冠の表面を研摩する。
【００１４】
別の部位を研摩し易い位置に移動させたい場合は、作業者の左手による柄（２）、（２ａ）の把持を若干ゆるめ、その状態で、左手の親指等によりツマミ（８）のハンドル（１０）を押して、ツマミ（８）を回し、それにより当接ピン（４ａ）を回せば、該当接ピンの強い摩擦力で当接している冠（Ｃ）を回し、かくして別の部位を移動させる。上記当接ピン（４）のボール（５）は、シリコン等の合成樹脂で表面をコーティングして、冠（Ｃ）の表面への当りを柔かくしておくのもよい。
【実施例２】
【００１５】
図２（イ）の他の実施例は、一方の柄（１０２ａ）の中間部に、ネジ棒（１１２）の基端部をピン連結し、ネジ棒（１１２）先端部のオネジ部分（１１３）を他方の柄（１０２）の中間部に摺動自在に貫通し、貫通突出部に蝶ナット（１１４）を螺合し、他の構造は図１（イ）、（ロ）、（ハ）と実質的に同一の例である。
【００１６】
本例によれば、蝶ナット（１１４）の締着により一対の柄（１０２）、（１０２ａ）を閉じて一対の当接面間に冠を強く挾持した状態を維持したり、挾持を若干ゆるめた状態に維持するのに便利である。
【実施例３】
【００１７】
図２（ロ）、（ハ）は、強い摩擦力をもつ当接面の他の例で、（ロ）図は、当接ピン（２０４ａ）の先端面に設けた多数山形突起からなる当接面（２０５ａ）、（ハ）図は、当接ピン（３０４ａ）の先端部の凹陥部における円筒壁の開口端に形成した多数歯からなる当接面（３０５ａ）である。
【符号の説明】
【００１８】
２、２ａ、１０２、１０２ａ  柄
３、３ａ  挾持アーム
４、４ａ、２０４ａ、３０４ａ  当接ピン
５、５ａ、２０５ａ、３０５ａ  当接面
８  回転操作ツマミ
【図１】
0003154387.tif 000003
【図２】
0003154387.tif 000004